(57)【要約】【課題】大きな被加熱物を加熱室の中央に配置して良好な調理を行うことができる加熱調理器を提供する。【解決手段】前面を開閉する加熱室２内に設けられた載置部２ａに被加熱物Ｗ２を載置して加熱調理を行う加熱調理器１において、載置部２ａは加熱室１の中央領域１０を示す略円形の第１マーキング１１と、第１マーキング１１の外側を囲むとともに中心角が１８０゜以上の略円弧状の円弧状部を有した第２マーキング２１とを表面に有し、第１マーキング１１の中心に対して第２マーキング２１の中心を後方に配置した。【選択図】図３
2008256331.tif 000002
【特許請求の範囲】
【請求項１】
前面を開閉する加熱室内に設けられた載置部に被加熱物を載置して加熱調理を行う加熱調理器において、前記載置部は前記加熱室の中央領域を示す略円形の第１マーキングと、第１マーキングの外側を囲むとともに中心角が１８０゜以上の略円弧状の円弧状部を第１マーキングの前方に形成する第２マーキングとを表面に有し、第１マーキングの中心に対して前記円弧状部の中心を後方に配置したことを特徴とする加熱調理器。
【請求項２】
第２マーキングまたは第２マーキングの包絡線を円形に形成したことを特徴とする請求項１に記載の加熱調理器。
【請求項３】
前面を開閉する加熱室内に設けられた載置部に被加熱物を載置して加熱調理を行う加熱調理器において、前記載置部は前記加熱室の中央領域を示す第１マーキングと第１マーキングの外側を囲む第２マーキングとを表面に有し、第２マーキングまたは第２マーキングの包絡線によって前記中央領域の少なくとも前方及び左右に広い広領域を視認可能にし、前記加熱室の中心から右側及び左側の前記広領域の幅が前方の前記広領域の幅よりも大きいことを特徴とする加熱調理器。
【請求項４】
第２マーキングまたは第２マーキングの包絡線が第１マーキングの前方に配される円弧を有し、該円弧の中心が前記加熱室の中心よりも後方に配されることを特徴とする請求項３に記載の加熱調理器。
【請求項５】
第２マーキングまたは第２マーキングの包絡線を円形に形成したことを特徴とする請求項４に記載の加熱調理器。
【請求項６】
第１マーキングまたは第１マーキングの包絡線を円形に形成したことを特徴とする請求項１〜請求項５のいずれかに記載の加熱調理器。
【請求項７】
第１、第２マーキングは前記載置部に描かれた線から成り、第１マーキングを第２マーキングよりも太くしたことを特徴とする請求項１〜請求項６のいずれかに記載の加熱調理器。
【請求項８】
第２マーキングは前記載置部に描かれた図柄の境界から成ることを特徴とする請求項１〜請求項６のいずれかに記載の加熱調理器。
【請求項９】
前記載置部が前記加熱室の底壁から成ることを特徴とする請求項１〜請求項８のいずれかに記載の加熱調理器。
【請求項１０】
前記載置部が前記加熱室内に配される非回転のトレイから成ることを特徴とする請求項１〜請求項８のいずれかに記載の加熱調理器。
【発明の詳細な説明】
【技術分野】
【０００１】
本発明は、加熱室内に被加熱物を載置して加熱調理を行う加熱調理器に関する。
【背景技術】
【０００２】
加熱室を備えた従来の加熱調理器は加熱室の底壁に被加熱物を載置してマグネトロン等により加熱調理する。一般に加熱室内は中央部の加熱能力が高くなっており、加熱室の底壁の中央部には使用者による被加熱物の設置位置を示すマーキングが施されている。
【０００３】
図１２は加熱室の底壁を示す平面図である。加熱室２（図１３参照）の底壁２ａには第１、第２マーキング１９、２９が描かれる。第１マーキング１１は円形の線画から成り、円の中心が加熱室２の中心に一致して加熱室２の中央領域１０を示す。第２マーキング２９は第１マーキング１１と同心の円形の線画から成り、中央領域１０を含む広い広領域２０を示す。
【０００４】
図１３は加熱室２の概略側面図を示している。図中、右側が加熱室２の開口側を示し、Ｄ１０、Ｄ２０はそれぞれ中央領域１０及び広領域２０の範囲を示している。第１マーキング１１よりも直径の小さいカップ等の被加熱物Ｗ１は第１マーキング１１を目印にして加熱室２の中央に設置される。
【０００５】
同様に、第１マーキング１１よりも大きな被加熱物Ｗ２は第２マーキング２９を目印にして底壁２ａに設置される。これにより、被加熱物Ｗ２を加熱室２の中央に設置し、効率のよい加熱調理を行うことができる。
【０００６】
【特許文献１】特開２０００−１４５１８０号公報（第３頁−第４頁、第２図）
【発明の開示】
【発明が解決しようとする課題】
【０００７】
しかしながら、上記従来の加熱調理器によると、図１３に示すようにディナー皿等の大きい被加熱物Ｗ２の場合に被加熱物Ｗ２を加熱室２の中央に配置するのが困難になる。即ち、使用者は被加熱物Ｗ２を斜め上方から見るため、被加熱物Ｗ２が第２マーキング２９と同程度か若干大きくても第２マーキング２９の前部を視認できる。これに対して、第２マーキング２９の後部は被加熱物Ｗ２が第２マーキング２９よりも小さくても被加熱物Ｗ２に遮られて視認できない。
【０００８】
このため、使用者は第２マーキング２９の前部と被加熱物Ｗ２の前部の外周とを斜め上方向から見て被加熱物Ｗ２を位置決めする。被加熱物Ｗ２を真上方向から置く場合は正確に位置決めできるが、被加熱物Ｗ２の皿は湾曲してある程度の厚みを有するとともに皿の底部に糸尻が設けられている場合がある。
【０００９】
斜め上方から見て第２マーキング２９と被加熱物Ｗ２の外周を合わせようとすると、皿の厚みや糸尻等の高さ成分による目の錯覚によって被加熱物Ｗ２が手前にずれて置かれる傾向があった。このため、大きな被加熱物Ｗ２を加熱調理する際に加熱中心から若干外れて被加熱物Ｗ２が載置され、所望の仕上り状態が得られない問題があった。
【００１０】
本発明は、大きな被加熱物であっても加熱効率が高い加熱室の中央からずれることなく正確に配置して良好な調理を行うことのできる加熱調理器を提供することを目的とする。
【課題を解決するための手段】
【００１１】
上記目的を達成するために本発明は、前面を開閉する加熱室内に設けられた載置部に被加熱物を載置して加熱調理を行う加熱調理器において、前記載置部は前記加熱室の中央領域を示す略円形の第１マーキングと第１マーキングの外側を囲むとともに中心角が１８０゜以上の略円弧状の円弧状部を第１マーキングの前方に形成する第２マーキングとを表面に有し、第１マーキングの中心に対して前記円弧状部の中心を後方に配置したことを特徴としている。
【００１２】
この構成によると、加熱室内の載置部には略円形の第１マーキングによって中央領域が示され、略円弧の円弧状部を形成する第２マーキングが第１マーキングの外側に設けられる。第１、第２マーキングは線画でもよく、図柄の境界でもよい。また、第１、第２マーキングの包絡線によって中央領域や円弧状部を表わしてもよい。中央領域よりも小さい被加熱物は第１マーキングを目印にして加熱室の中央領域内に設置される。中央領域よりも大きい被加熱物は第２マーキングを目印にして加熱室内に設置される。この時、第２マーキングの円弧状部の中心は第１マーキングの中心よりも後方に配される。使用者は円弧状部を視認して被加熱物を位置決めする。
【００１３】
また本発明は、上記構成の加熱調理器において、第２マーキングまたは第２マーキングの包絡線を円形に形成したことを特徴としている。
【００１４】
また本発明は、前面を開閉する加熱室内に設けられた載置部に被加熱物を載置して加熱調理を行う加熱調理器において、前記載置部は前記加熱室の中央領域を示す第１マーキングと第１マーキングの外側を囲む第２マーキングとを表面に有し、第２マーキングまたは第２マーキングの包絡線によって前記中央領域の少なくとも前方及び左右に広い広領域を視認可能にし、前記加熱室の中心から右側及び左側の前記広領域の幅が前方の前記広領域の幅よりも大きいことを特徴としている。
【００１５】
この構成によると、加熱室内の載置部には第１マーキングによって中央領域が示され、第２マーキングによって前方、左方、右方に中央領域よりも広い広領域が表わされる。第１、第２マーキングは円形や矩形の線画でもよく、図柄の境界でもよい。また、第１、第２マーキングの包絡線によって中央領域や広領域を表わしてもよい。中央領域よりも小さい被加熱物は第１マーキングを目印にして加熱室の中央領域内に設置される。中央領域よりも大きい被加熱物は第２マーキングを目印にして加熱室内に設置される。この時、第２マーキングよって載置部上に表わされる広領域は加熱室の中心から前方の幅が右側及び左側の幅よりも狭い。使用者は広領域を視認して被加熱物の左右方向及び前後方向を位置決めする。
【００１６】
また本発明は、上記構成の加熱調理器において、第２マーキングまたは第２マーキングの包絡線が第１マーキングの前方に配される円弧を有し、該円弧の中心が前記加熱室の中心よりも後方に配されることを特徴としている。この構成によると、第２マーキングにより表わされる広領域は例えば、円、長円、半円、扇形等に形成される。
【００１７】
また本発明は、上記構成の加熱調理器において、第２マーキングまたは第２マーキングの包絡線を円形に形成したことを特徴としている。
【００１８】
また本発明は、上記構成の加熱調理器において、第１マーキングまたは第１マーキングの包絡線を円形に形成したことを特徴としている。
【００１９】
また本発明は、上記構成の加熱調理器において、第１、第２マーキングは前記載置部に描かれた線から成り、第１マーキングを第２マーキングよりも太くしたことを特徴としている。
【００２０】
また本発明は、上記構成の加熱調理器において、第２マーキングは前記載置部に描かれた図柄の境界から成ることを特徴としている。この構成によると、載置部の第２マーキングを境界として内側と外側とで異なる図柄が描かれる。また、第２マーキングを境界として内側と外側の一方にのみ図柄を描いてもよい。
【００２１】
また本発明は、上記構成の加熱調理器において、前記載置部が前記加熱室の底壁から成ることを特徴としている。
【００２２】
また本発明は、上記構成の加熱調理器において、前記載置部が前記加熱室内に配される非回転のトレイから成ることを特徴としている。
【発明の効果】
【００２３】
本発明によると、加熱室の中央領域を示す略円形の第１マーキングの外側を囲む第２マーキングによって略円弧状の円弧状部を形成し、円弧状部の中心が第１マーキングの中心よりも後方に配されるので、大きな被加熱物を第２マーキングの内側の前部が隠れる程度に配置しても被加熱物の中心を加熱室の略中心に配置することができる。従って、大きな被加熱物を加熱効率が高い加熱室の中央からずれることなく正確に配置して良好な調理を行うことができる。
【００２４】
また本発明によると、第２マーキングまたは第２マーキングの包絡線を円形に形成したので、使用量の多い円形の皿等の大きな食器を容易に加熱室の中央に位置決めすることができる。
【００２５】
また本発明によると、加熱室の中央領域を示す第１マーキングの外側を囲む第２マーキングによって中央領域よりも広い広領域を形成し、加熱室の中心から右側及び左側の広領域の幅が前方の広領域の幅よりも大きいので、大きな被加熱物を広領域の前部が隠れる程度に配置しても被加熱物の中心を加熱室の略中心に配置することができる。従って、大きな被加熱物を加熱効率が高い加熱室の中央からずれることなく正確に配置して良好な調理を行うことができる。
【００２６】
また本発明によると、第２マーキングまたは第２マーキングの包絡線が第１マーキングの前方に配される円弧を有し、該円弧の中心が加熱室の中心よりも後方に配されるので、加熱室の中心から右側及び左側の広領域の幅を前方の広領域の幅よりも簡単に大きくすることができる。
【００２７】
また本発明によると、第１マーキングまたは第１マーキングの包絡線を円形に形成したので、使用量の多い円形のコップ等の小さい食器を容易に加熱室の中央に位置決めすることができる。
【００２８】
また本発明によると、第１、第２マーキングは載置部に描かれた線から成るので、中央領域及び広領域を容易に形成することができる。また、第１マーキングを第２マーキングよりも太くしたので、加熱室の中心の誤認を防止することができる。
【００２９】
また本発明によると、第２マーキングは載置部に描かれた図柄の境界から成るので、広領域を容易に形成することができる。
【発明を実施するための最良の形態】
【００３０】
以下に本発明の実施形態を図面を参照して説明する。説明の便宜上、前述の図１２、図１３に示す従来例と同様の部分には同一の符号を付している。図１は第１実施形態の加熱調理器を示す斜視図である。加熱調理器１は加熱室２（図２参照）の前面をドア３により開閉可能になっている。加熱調理器１の一方側部には操作パネル４が配されている。
【００３１】
図２は加熱調理器１のドア３を開いた状態を示す正面図である。加熱室２は前方を開口した略直方体に形成され、ドア３を開閉して被加熱物を収納する。加熱室２の底壁２ａには被加熱物を載置する目印となる第１、第２マーキング１１、１２が描かれている。加熱室４の背壁２ｂを隔てて後方にはマグネトロン（不図示）が配される。背壁２ｂに設けた開口部５を介してマグネトロンによる高周波が加熱室２内に放出され、被加熱物の加熱調理が行われる。
【００３２】
図３は加熱室２の底壁２ａの平面図を示している。底壁２ａに描かれる第１マーキング１１は直径約８ｃｍの円形の線画から成り、円の中心が加熱室２の中心に一致して加熱室２の中央領域１０を表わす。第２マーキング２１は第１マーキング１１を囲む直径約２３ｃｍの円形の線画から成り、中央領域１０の前後左右に広い円形の広領域２０を表わす。第２マーキング２１よりも第１マーキング１１の方が太い線で描かれている。第２マーキング２１によって中心角が１８０゜以上の円弧状部２１ａが第１マーキング１１の前方に形成される。
【００３３】
第２マーキング２１の中心は第１マーキング１１の中心よりも距離ｄ（例えば、８ｍｍ）だけ後方に配置されている。これにより、加熱室２の中心から右側の広領域２０の幅ＷＲと左側の広領域２０の幅ＷＬとが等しく、加熱室２の中心から前方の広領域２０の幅Ｄよりも大きくなっている。
【００３４】
図４は加熱室２の概略側面図を示している。図中、右側が加熱室２の開口側を示し、Ｄ１０、Ｄ２０はそれぞれ中央領域１０及び広領域２０の範囲を示している。第１マーキング１１よりも直径の小さいカップ等の被加熱物Ｗ１は第１マーキング１１を目印にして加熱室２の中央に設置される。糸底の直径が第１マーキング１１よりも小さく、糸底を斜め上方から視認可能な茶碗等も同様に第１マーキング１１を目印にして設置される。
【００３５】
ディナー皿等の中央領域１０よりも大きな被加熱物Ｗ２は第２マーキング２１を目印にして底壁２ａに設置される。この時、使用者は被加熱物Ｗ２を斜め上方から見るため、被加熱物Ｗ２が第２マーキング２１と同程度か若干大きくても手前側の第２マーキング２１を視認できる。これに対して、奥側の第２マーキング２１は被加熱物Ｗ２が第２マーキング２１よりも小さくても被加熱物Ｗ２に遮られて視認できない。
【００３６】
このため、使用者は広領域２０を視認して被加熱物Ｗ２の左右及び前端を位置決めする。この時、第２マーキング２１の前部が隠れる程度まで被加熱物Ｗ２を手前に配置する傾向になり、被加熱物Ｗ２が第２マーキング２の中心Ｃ２に対して前方にずれて設置される。これにより、被加熱物Ｗ２の中心が加熱室２の略中心Ｃに配置される。従って、被加熱物Ｗ２を加熱室２の中央に容易に設置することができる。
【００３７】
次に、図５は第２実施形態の加熱調理器における加熱室の底壁の一部を示す平面図である。説明の便宜上、前述の図１〜図４に示す第１実施形態と同様の部分には同一の符号を付している。底壁２ａに描かれる第１マーキング１１は第１実施形態と同様に直径約８ｃｍの円形の線画から成り、円の中心が加熱室２の中心に一致して加熱室２の中央領域１０を表わす。
【００３８】
第２マーキング２２は底壁２ａの周部に描かれた梨地の図柄１２の内縁から成る。即ち、図柄１２の境界によって第２マーキング２２は第１マーキング１１を囲む直径約２３ｃｍの円形に形成される。第２マーキング２２の内側に図柄１２と異なる図柄を描いてもよい。第２マーキング２２によって中央領域１０の前後左右に広い円形の広領域２０が視認可能になる。また、第２マーキング２２によって中心角が１８０゜以上の円弧状部２２ａが第１マーキング１１の前方に形成される。
【００３９】
第２マーキング２２の中心は第１マーキング１１の中心よりも距離ｄ（例えば、８ｍｍ）だけ後方に配置されている。これにより、加熱室２の中心から右側の広領域２０の幅ＷＲと左側の広領域２０の幅ＷＬとが等しく、加熱室２の中心から前方の広領域２０の幅Ｄよりも大きくなっている。従って、第１実施形態と同様に、ディナー皿等の大きな被加熱物Ｗ２（図４参照）を加熱室２の中央に容易に設置することができる。
【００４０】
次に、図６は第３実施形態の加熱調理器における加熱室の底壁を示す平面図である。説明の便宜上、前述の図１〜図４に示す第１実施形態と同様の部分には同一の符号を付している。底壁２ａに描かれる第１マーキング１１は第１実施形態と同様に直径約８ｃｍの円形の線画から成り、円の中心が加熱室２の中心に一致して加熱室２の中央領域１０を表わす。
【００４１】
第２マーキング２３は底壁２ａの周部に描かれた図柄１３の内側の境界から成り、第２マーキング２３の包絡線２３ｂが第１マーキング１１を囲む直径約２３ｃｍの円形に形成される。第２マーキング２３の内側にも図柄１３と異なる図柄を描いてもよい。第２マーキング２３によって中央領域１０の前後左右に広い広領域２０が視認可能になる。広領域２０は第２マーキング２３の包絡線２３ｂによって略円形として捉えられる。また、第２マーキング２３によって中心角が１８０゜以上の略円弧状の円弧状部２３ａが第１マーキング１１の前方に形成される。
【００４２】
第２マーキング２２の包絡線２３ｂの中心は第１マーキング１１の中心よりも距離ｄ（例えば、８ｍｍ）だけ後方に配置されている。これにより、加熱室２の中心から右側の広領域２０の幅ＷＲと左側の広領域２０の幅ＷＬとが等しく、加熱室２の中心から前方の広領域２０の幅Ｄよりも大きくなっている。従って、第１実施形態と同様に、ディナー皿等の大きな被加熱物Ｗ２（図４参照）を加熱室２の中央に容易に設置することができる。
【００４３】
次に、図７は第４実施形態の加熱調理器における加熱室の底壁を示す平面図である。説明の便宜上、前述の図１〜図４に示す第１実施形態と同様の部分には同一の符号を付している。底壁２ａに描かれる第１マーキング１１は第１実施形態と同様に直径約８ｃｍの円形の線画から成り、円の中心が加熱室２の中心に一致して加熱室２の中央領域１０を表わす。
【００４４】
第２マーキング２４は第１マーキング１１を囲む小判状の線画から成る。第２マーキング２４の前部及び後部は半径約１１．５ｃｍ、中心角１８０゜の円弧状の円弧状部２４ａ、２４ｂから成り、円弧状部２４ａ、２４ｂ間が直線で繋がれる。第２マーキング２４によって中央領域１０の前後左右に広い小判状（長孔状）の広領域２０が表わされる。また、第２マーキング２４よりも第１マーキング１１の方が太い線で描かれている。
【００４５】
第２マーキング２４の前部の円弧状部２４ａの中心は第１マーキング１１の中心よりも距離ｄ（例えば、８ｍｍ）だけ後方に配置されている。これにより、加熱室２の中心から右側の広領域２０の幅ＷＲと左側の広領域２０の幅ＷＬとが等しく、加熱室２の中心から前方の広領域２０の幅Ｄよりも大きくなっている。第２マーキング２４を図柄の境界により形成してもよく、第２マーキング２４の包絡線により小判状の広領域２０を形成してもよい。
【００４６】
ディナー皿等の大きな被加熱物Ｗ２（図４参照）を設置する際には後部の円弧２４ｂは被加熱物Ｗ２により隠れる。このため、前部の円弧状部２４ａにより被加熱物Ｗ２の左右及び前端が位置決めされる。従って、第１実施形態と同様に、大きな被加熱物Ｗ２を加熱室２の中央に容易に設置することができる。
【００４７】
次に、図８は第５実施形態の加熱調理器における加熱室の底壁を示す平面図である。説明の便宜上、前述の図１〜図４に示す第１実施形態と同様の部分には同一の符号を付している。底壁２ａに描かれる第１マーキング１１は第１実施形態と同様に直径約８ｃｍの円形の線画から成り、円の中心が加熱室２の中心に一致して加熱室２の中央領域１０を表わす。
【００４８】
第２マーキング２５は第１マーキング１１を囲む線画から成る。第２マーキング２５の前部は半径約１１．５ｃｍ、中心角１８０゜の円弧状の円弧状部２５ａから成り、後部は矩形の矩形部２５ｂから成る。また、第２マーキング２５よりも第１マーキング１１の方が太い線で描かれている。第２マーキング２５によって中央領域１０の前後左右に広い広領域２０が表わされる。
【００４９】
第２マーキング２５の円弧状部２５ａの中心は第１マーキング１１の中心よりも距離ｄ（例えば、８ｍｍ）だけ後方に配置されている。これにより、加熱室２の中心から右側の広領域２０の幅ＷＲと左側の広領域２０の幅ＷＬとが等しく、加熱室２の中心から前方の広領域２０の幅Ｄよりも大きくなっている。第２マーキング２５を図柄の境界により形成してもよく、第２マーキング２５の包絡線により前部が円形の広領域２０を形成してもよい。
【００５０】
ディナー皿等の大きな被加熱物Ｗ２（図４参照）を設置する際には後部の矩形部２５ｂは被加熱物Ｗ２により隠れる。このため、前部の円弧状部２５ａにより被加熱物Ｗ２の左右及び前端が位置決めされる。従って、第１実施形態と同様に、大きな被加熱物Ｗ２を加熱室２の中央に容易に設置することができる。
【００５１】
次に、図９は第６実施形態の加熱調理器における加熱室の底壁を示す平面図である。説明の便宜上、前述の図１〜図４に示す第１実施形態と同様の部分には同一の符号を付している。底壁２ａに描かれる第１マーキング１１は第１実施形態と同様に直径約８ｃｍの円形の線画から成り、円の中心が加熱室２の中心に一致して加熱室２の中央領域１０を表わす。
【００５２】
第２マーキング２６は第１マーキング１１を囲む一辺が約２３ｃｍの正方形の線画から成る。また、第２マーキング２６よりも第１マーキング１１の方が太い線で描かれている。第２マーキング２６によって中央領域１０の前後左右に広い正方形の広領域２０が表わされる。
【００５３】
第２マーキング２６の中心は第１マーキング１１の中心よりも距離ｄ（例えば、８ｍｍ）だけ後方に配置されている。これにより、加熱室２の中心から右側の広領域２０の幅ＷＲと左側の広領域２０の幅ＷＬとが等しく、加熱室２の中心から前方の広領域２０の幅Ｄよりも大きくなっている。第２マーキング２６を図柄の境界により形成してもよく、第２マーキング２６の包絡線により矩形の広領域２０を形成してもよい。
【００５４】
ディナー皿等の大きな被加熱物Ｗ２（図４参照）を設置する際には正方形の第２マーキング２６を目印にして被加熱物Ｗ２の左右及び前端が位置決めされる。従って、第１実施形態と同様に、大きな被加熱物Ｗ２を加熱室２の中央に容易に設置することができる。尚、第２マーキング２６を図９の状態から後方に伸ばした長方形にしてもよい。
【００５５】
次に、図１０は第７実施形態の加熱調理器における加熱室の底壁を示す平面図である。説明の便宜上、前述の図１〜図４に示す第１実施形態と同様の部分には同一の符号を付している。底壁２ａに描かれる第１マーキング１１は第１実施形態と同様に直径約８ｃｍの円形の線画から成り、円の中心が加熱室２の中心に一致して加熱室２の中央領域１０を表わす。
【００５６】
第２マーキング２７は第１マーキング１１の前方を囲む半径が約１１．５ｃｍ、中心角が１８０゜の円弧の線画から成る。即ち、第２マーキング２７は円弧状の円弧状部を形成する。また、第２マーキング２７よりも第１マーキング１１の方が太い線で描かれている。第２マーキング２７によって中央領域１０の右側、左側及び前方に広い半円状の広領域２０（図中、斜線で示す）が表わされる。尚、第２マーキング２７を中心角が１８０゜以上の円弧に描いてもよく、半円もしくは中心角が１８０゜以上の扇形に描いてもよい。
【００５７】
第２マーキング２７の中心は第１マーキング１１の中心よりも距離ｄ（例えば、８ｍｍ）だけ後方に配置されている。これにより、加熱室２の中心から右側の広領域２０の幅ＷＲと左側の広領域２０の幅ＷＬとが等しく、加熱室２の中心から前方の広領域２０の幅Ｄよりも大きくなっている。第２マーキング２７を図柄の境界により形成してもよく、第２マーキング２７の包絡線によって円弧を形成してもよい。
【００５８】
ディナー皿等の大きな被加熱物Ｗ２（図４参照）を設置する際には円弧状の第２マーキング２７を目印にして被加熱物Ｗ２の左右及び前端が位置決めされる。従って、第１実施形態と同様に、大きな被加熱物Ｗ２を加熱室２の中央に容易に設置することができる。
【００５９】
次に、図１１は第８実施形態の加熱調理器における加熱室の底壁を示す平面図である。説明の便宜上、前述の図１〜図４に示す第１実施形態と同様の部分には同一の符号を付している。底壁２ａに描かれる第１マーキング１１は第１実施形態と同様に直径約８ｃｍの円形の線画から成り、円の中心が加熱室２の中心に一致して加熱室２の中央領域１０を表わす。
【００６０】
第２マーキング２８は第１マーキング１１の前方を囲む横幅が約２３ｃｍのコ字型の線画から成る。また、第２マーキング２８よりも第１マーキング１１の方が太い線で描かれている。第２マーキング２８によって中央領域１０の右側、左側及び前方に広い矩形の広領域２０（図中、斜線で示す）が表わされる。
【００６１】
第２マーキング２８は加熱室２の中心から右側の広領域２０の幅ＷＲと左側の広領域２０の幅ＷＬとが等しく、加熱室２の中心から前方の広領域２０の幅Ｄよりも大きくなるように形成されている。第２マーキング２８を図柄の境界により形成してもよく、第２マーキングの包絡線をコ字型に形成してもよい。
【００６２】
ディナー皿等の大きな被加熱物Ｗ２（図４参照）を設置する際にはコ字型の第２マーキング２８を目印にして被加熱物Ｗ２の左右及び前端が位置決めされる。従って、第１実施形態と同様に、大きな被加熱物Ｗ２を加熱室２の中央に容易に設置することができる。
【００６３】
第１〜第５実施形態及び第７実施形態によると、加熱室２の中央領域１０を示す略円形の第１マーキング１１の外側を囲む第２マーキング２１〜２５、２７によって略円弧状の円弧状部２１ａ〜２５ａ、（２７）を形成し、円弧状部２１ａ〜２５ａ、（２７）の中心が第１マーキング１１の中心よりも後方に配されるので、大きな被加熱物Ｗ２を第２マーキング２１〜２５、２７の内側の前部が隠れる程度に配置しても被加熱物Ｗ２の中心を加熱室２の略中心に配置することができる。従って、大きな被加熱物Ｗ２を加熱効率が高い加熱室の中央からずれることなく正確に配置して良好な調理を行うことができる。
【００６４】
尚、第２マーキング２１〜２５により形成される円弧状部２１ａ〜２５ａ及び第２マーキング２７は略円弧状であればよい。
【００６５】
また第１〜第８実施形態によると、加熱室２の中央領域１０を示す第１マーキング１１の外側を囲む第２マーキング２１〜２８によって中央領域１０よりも広い広領域２０を形成し、加熱室２の中心から右側及び左側の広領域２０の幅ＷＲ、ＷＬが前方の広領域２０の幅Ｄよりも大きいので、大きな被加熱物Ｗ２を広領域２０の前部が隠れる程度に配置しても被加熱物Ｗ２の中心を加熱室２の略中心に配置することができる。従って、大きな被加熱物Ｗ２を加熱効率が高い加熱室の中央からずれることなく正確に配置して良好な調理を行うことができる。
【００６６】
また、線画から成る第１マーキング１１を第２マーキング２１、２４〜２８よりも太くしたので、加熱室２の中心の誤認を防止することができる。
【００６７】
第１〜第８実施形態において、第１マーキング１１を円形の線画にしているが、図５に示す第２マーキング２２と同様に図柄の境界によって形成してもよい。また、第１マーキング１１の包絡線によって中央領域１０を視認可能にしてもよく、中央領域１０を正方形等の矩形に形成してもよい。第１マーキング１１により視認される中央領域１０を略円形にしてもよい。
【００６８】
尚、第１マーキング１１または第１マーキング１１の包絡線の直径を１０ｃｍ以下にするとコップや茶碗等の小型の食器を加熱室２の中央に容易に配置することができる。また、ディナー用の皿の直径が約２３ｃｍ〜２８ｃｍ程度であるため、第２マーキングまたは第２マーキングの包絡線の半径を１０ｃｍ以上にすると大型の皿を加熱室２の中央に容易に配置することができる。また、パン皿等の小型の皿等に対応するため、前述の図５に示すように第１マーキング１１と同心で第２マーキングよりも小さい円形の第３、第４マーキング３１、３２を設けてもよい。
【００６９】
また、加熱室２の底壁２ａに第１、第２マーキングを描いているが、被加熱物を加熱室２内に配された非回転のトレイに載置する場合はトレイに第１、第２マーキングを描いてもよい。即ち、被加熱物を載置する載置部に第１、第２マーキングを形成して中央領域１０及び広領域２０を視認可能にすればよい。
【００７０】
加えて、マグネトロンによる加熱調理を行っているが、過熱蒸気やヒータ等によって加熱調理を行う加熱調理器であってもよい。
【産業上の利用可能性】
【００７１】
本発明によると、加熱室内に被加熱物を載置し、マグネトロンや過熱蒸気等によって加熱調理を行う加熱調理器に利用することができる。
【図面の簡単な説明】
【００７２】
【図１】本発明の第１実施形態の加熱調理器を示す斜視図
【図２】本発明の第１実施形態の加熱調理器のドアを開いた状態を示す正面図
【図３】本発明の第１実施形態の加熱調理器の加熱室の底壁を示す平面図
【図４】本発明の第１実施形態の加熱調理器の加熱室を示す概略側面図
【図５】本発明の第２実施形態の加熱調理器の加熱室の底壁を示す平面図
【図６】本発明の第３実施形態の加熱調理器の加熱室の底壁を示す平面図
【図７】本発明の第４実施形態の加熱調理器の加熱室の底壁を示す平面図
【図８】本発明の第５実施形態の加熱調理器の加熱室の底壁を示す平面図
【図９】本発明の第６実施形態の加熱調理器の加熱室の底壁を示す平面図
【図１０】本発明の第７実施形態の加熱調理器の加熱室の底壁を示す平面図
【図１１】本発明の第８実施形態の加熱調理器の加熱室の底壁を示す平面図
【図１２】従来の加熱調理器の加熱室の底壁を示す平面図
【図１３】従来の加熱調理器の加熱室を示す概略側面図
【符号の説明】
【００７３】
１    加熱調理器
２    加熱室
２ａ  底壁
３    ドア
１０    中央領域
１１    第１マーキング
１２    図柄
２０    広領域
２１〜２９  第２マーキング
２１ａ〜２５ａ  円弧状部
３１    第３マーキング
３２    第４マーキング
【図１】
2008256331.tif 000003
【図２】
2008256331.tif 000004
【図３】
2008256331.tif 000005
【図４】
2008256331.tif 000006
【図５】
2008256331.tif 000007
【図６】
2008256331.tif 000008
【図７】
2008256331.tif 000009
【図８】
2008256331.tif 000010
【図９】
2008256331.tif 000011
【図１０】
2008256331.tif 000012
【図１１】
2008256331.tif 000013
【図１２】
2008256331.tif 000014
【図１３】
2008256331.tif 000015